【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
患者の医療文書データが印刷媒体に印刷された複数の医療文書に対応する複数の追記部分を抽出する抽出手段と、
前記抽出された複数の追記部分の時間的な前後関係を推定する推定手段と、
前記推定された前後関係に基づいて、前記抽出された複数の追記部分を前記医療文書データに更新する更新手段と、
を有することを特徴とする処理装置。
【請求項２】
前記推定手段は、標準化された診療の工程表に基づいて前記前後関係を推定することを特徴とする請求項１に記載の処理装置。
【請求項３】
前記推定手段は、前記患者の診療の順序の履歴に基づいて前記前後関係を推定することを特徴とする請求項１または２に記載の処理装置。
【請求項４】
前記複数の医療文書から時間スタンプを検出する検出手段を更に有し、
前記推定手段は、前記検出された時間スタンプに基づいて前記前後関係を推定することを特徴とする請求項１乃至３のいずれか１項に記載の処理装置。
【請求項５】
前記複数の医療文書に設定された編集可能期間が終了しているか否かを判断する判断手段と、
前記編集可能期間が終了していると判断された場合にはエラー表示を表示手段に表示させる表示制御手段と、
を更に有することを特徴とする請求項１乃至４のいずれか１項に記載の処理装置。
【請求項６】
前記前後関係が推定されると前記複数の医療文書に対応する記入者に通知する通知手段を更に有することを特徴とする請求項１乃至５のいずれか１項に記載の処理装置。
【請求項７】
前記抽出手段は、原稿入力装置により前記複数の医療文書が読み込まれて得た電子データと前記医療文書データとの差分を前記追記部分として抽出することを特徴とする請求項１乃至６のいずれか１項に記載の処理装置。
【請求項８】
患者の医療文書データが印刷媒体に印刷された医療文書における複数の追記部分を抽出する抽出手段と、
標準化された診療の工程表に基づいて、前記抽出された複数の追記部分を前記医療文書データに更新する更新手段と、
を有することを特徴とする処理装置。
【請求項９】
患者の医療文書データが印刷媒体に印刷された医療文書における複数の追記部分を抽出する抽出手段と、
前記患者の診療の順序の履歴に基づいて、前記抽出された複数の追記部分を前記医療文書データに更新する更新手段と、
を有することを特徴とする処理装置。
【請求項１０】
患者の医療文書データが印刷媒体に印刷された医療文書における複数の追記部分を抽出する抽出手段と、
前記医療文書から時間スタンプを検出する検出手段と、
前記検出された時間スタンプに基づいて、前記抽出された複数の追記部分を前記医療文書データに更新する更新手段と、
を有することを特徴とする処理装置。
【請求項１１】
患者の医療文書データが印刷媒体に印刷された複数の医療文書に対応する複数の追記部分を抽出する抽出ステップと、
前記抽出された複数の追記部分の時間的な前後関係を推定する推定ステップと、
前記推定された前後関係に基づいて、前記抽出された複数の追記部分を前記医療文書データに更新する更新ステップと、
を有することを特徴とする処理方法。
【請求項１２】
患者の医療文書データが印刷媒体に印刷された医療文書における複数の追記部分を抽出する抽出ステップと、
標準化された診療の工程表に基づいて、前記抽出された複数の追記部分を前記医療文書データに更新する更新ステップと、
を有することを特徴とする処理方法。
【請求項１３】
患者の医療文書データが印刷媒体に印刷された医療文書における複数の追記部分を抽出する抽出ステップと、
前記患者の診療の順序の履歴に基づいて、前記抽出された複数の追記部分を前記医療文書データに更新する更新ステップと、
を有することを特徴とする処理方法。
【請求項１４】
患者の医療文書データが印刷媒体に印刷された医療文書における複数の追記部分を抽出する抽出ステップと、
前記医療文書から時間スタンプを検出する検出ステップと、
前記検出された時間スタンプに基づいて、前記抽出された複数の追記部分を前記医療文書データに更新する更新ステップと、
を有することを特徴とする処理方法。
【請求項１５】
請求項１１乃至１４のいずれか１項に記載の処理方法の各ステップをコンピュータに実行させるためのプログラム。
【請求項１６】
電子カルテの原本から印刷出力された紙カルテに追記された情報を当該電子カルテの原本に反映して、医療支援を行う医療支援システムであって、
前記電子カルテの原本から印刷されたことを示す識別情報を埋め込んだ紙カルテを出力する出力手段と、
前記識別情報が埋め込まれた紙カルテを読み取って入力を行う入力手段と、
前記入力手段から入力された紙カルテと前記電子カルテの原本との差分を抽出して前記紙カルテに追記された追記部分を抽出する抽出手段と、
ある患者に対する院内における診療・治療の工程表であるクリニカルパス、及び、診療履歴情報を利用して、複数の前記追記部分の時間的前後関係の順序を推定する推定手段と、
前記推定手段で推定された順序で前記追記部分を前記電子カルテの原本に反映して更新する更新手段と、
を有することを特徴とする医療支援システム。
【請求項１７】
前記推定手段により推定された追記部分の時間的前後関係の順序を記入者に通知する通知手段と、
承認を得る承認手段と、
を更に有し、
前記更新手段は、前記記入者の前記承認が得られた場合に前記電子カルテの原本の更新を終了とすることを特徴とする請求項１６に記載の医療支援システム。
【請求項１８】
前記紙カルテの編集可能期間を設定する設定手段を更に有し、
前記出力手段は、前記編集可能期間を埋め込んだ紙カルテを出力し、
前記更新手段は、前記入力手段において前記編集可能期間内に入力された紙カルテのみ前記電子カルテの原本に反映して更新することを特徴とする請求項１６または１７に記載の医療支援システム。
【請求項１９】
前記推定手段は、前記クリニカルパスが示す各診療項目に対し、指定した範囲で実際に行われた診療項目の履歴から診療項目間の遷移確率を求め、前記遷移確率に基づいて前記追記部分の時間的前後関係の順序を推定することを特徴とする請求項１６乃至１８のいずれか１項に記載の医療支援システム。
【手続補正２】
【補正対象書類名】明細書
【補正対象項目名】発明の名称
【補正方法】変更
【補正の内容】
【発明の名称】処理装置、処理方法、医療支援システム及びプログラム
【手続補正３】
【補正対象書類名】明細書
【補正対象項目名】０００１
【補正方法】変更
【補正の内容】
【０００１】
本発明は、処理装置、処理方法、医療支援システム、及び、当該処理方法をコンピュータに実行させるためのプログラムに関する。
【手続補正４】
【補正対象書類名】明細書
【補正対象項目名】０００８
【補正方法】変更
【補正の内容】
【０００８】
本発明の処理装置は、患者の医療文書データが印刷媒体に印刷された複数の医療文書に対応する複数の追記部分を抽出する抽出手段と、前記抽出された複数の追記部分の時間的な前後関係を推定する推定手段と、前記推定された前後関係に基づいて、前記抽出された複数の追記部分を前記医療文書データに更新する更新手段と、を有する。
本発明の処理装置における他の態様は、患者の医療文書データが印刷媒体に印刷された医療文書における複数の追記部分を抽出する抽出手段と、標準化された診療の工程表に基づいて、前記抽出された複数の追記部分を前記医療文書データに更新する更新手段と、を有する。
また、本発明の処理装置におけるその他の態様は、患者の医療文書データが印刷媒体に印刷された医療文書における複数の追記部分を抽出する抽出手段と、前記患者の診療の順序の履歴に基づいて、前記抽出された複数の追記部分を前記医療文書データに更新する更新手段と、を有する。
また、本発明の処理装置におけるその他の態様は、患者の医療文書データが印刷媒体に印刷された医療文書における複数の追記部分を抽出する抽出手段と、前記医療文書から時間スタンプを検出する検出手段と、前記検出された時間スタンプに基づいて、前記抽出された複数の追記部分を前記医療文書データに更新する更新手段と、を有する。
本発明の医療支援システムは、電子カルテの原本から印刷出力された紙カルテに追記された情報を当該電子カルテの原本に反映して、医療支援を行う医療支援システムであって、前記電子カルテの原本から印刷されたことを示す識別情報を埋め込んだ紙カルテを出力する出力手段と、前記識別情報が埋め込まれた紙カルテを読み取って入力を行う入力手段と、前記入力手段から入力された紙カルテと前記電子カルテの原本との差分を抽出して前記紙カルテに追記された追記部分を抽出する抽出手段と、ある患者に対する院内における診療・治療の工程表であるクリニカルパス、及び、診療履歴情報を利用して、複数の前記追記部分の時間的前後関係の順序を推定する推定手段と、前記推定手段で推定された順序で前記追記部分を前記電子カルテの原本に反映して更新する更新手段と、を有する。
また、本発明は、上述した処理装置による処理方法、及び、当該処理方法をコンピュータに実行させるためのプログラムを含む。